(57)【要約】【目的】本発明は、盛り籠の御供物を通夜又は葬儀当日に実際の品物で用意するのではなく、後程、喪家や返礼品を贈られる方に対して希望の商品を配送するようにすることで、喪家や返礼品を贈られる方又は葬儀社の負担を軽減することを目的とするものである。【構成】本発明は、通夜又は葬儀当日に盛り籠の御供物として実際の品物を置く代わりに御供物目録を喪家に手渡し、後程、喪家又は御供物目録を贈られた方が御供物目録の中に入っている商品カタログから商品を自由に選択できるようにして、商品申込みハガキにより申し込んだら、商品販売業者又は葬儀社が商品を送り先に配送することを特徴とする盛り籠用商品配送システムの構成とした。【選択図】  図１
2005031741.tif 000002
【特許請求の範囲】
【請求項１】
葬儀を行う喪家、喪家の親戚や知人等から盛り籠手配の依頼を受けて御供物目録付き盛り籠を提供する葬儀社又は造花店、喪家又は御供物目録を贈られた方からの申込みにより商品を届け先へ配送する商品販売業者からなり、通夜又は葬儀当日に盛り籠の御供物として実際の品物を置く代わりに御供物目録を喪家に手渡し、後程、喪家又は御供物目録を贈られた方が御供物目録の中に入っている商品カタログから商品を自由に選択できるようにして、商品申込みハガキにより申し込んだら、商品販売業者が商品を送り先に配送することを特徴とする盛り籠用商品配送システム
【請求項２】
請求項１における商品販売業者を葬儀社が兼ねることで、喪家又は御供物目録を贈られた方は葬儀社に対して商品申込みを行い、葬儀社が商品を送り先に配送することを特徴とする盛り籠用商品配送システム
【請求項３】
請求項１及び請求項２のシステムをインターネット上に公開することにより顧客に対して案内を発信し、顧客からの利用申込み又は喪家又は御供物目録を贈られた方の商品選択も受け付けることを特徴とする盛り籠用商品配送システム
【発明の詳細な説明】
【０００１】
【発明の属する技術分野】
本発明は、葬儀用盛り籠の御供物を目録にし、後から商品の配送を行うシステムに関する発明である。
【０００２】
【従来の技術】
家族等の訃報により、葬儀が行われることになると、通常、喪家は葬儀社に依頼する。喪家の方から葬儀を行うとの連絡を受けた子供、兄弟、親戚などの親族や、会社関係または知人などは、喪家に対して香典とは別に盛り籠や花環を届ける場合がある。盛り籠等の手配は、葬儀を行うのと同じ葬儀社又は造花店に依頼することが多い。
【０００３】
従来、葬儀社又は造花店は、盛り籠手配の依頼を受けた場合、籠内に御供物として酒や缶詰などを詰め、周りを造花で飾ったものを手配していた。通夜及び葬儀の間は式場に飾っておき、葬儀後は御供物のみを喪家に渡し、盛り籠は葬儀社又は造花店が引き取るケースが多い。
【０００４】
受け取った御供物は、喪家で使用したり処分する場合もあるが、親族等で分配したり、通夜や葬儀において世話になった方々へ返礼品として配ったりする場合もある。
【０００５】
【発明が解決しようとする課題】
しかしながら、従来の盛り籠の場合、同じ様な品物を大量に届けられると喪家の方で処分するのに困る場合がある。特に、供物が食品など日持ちの悪いものであった場合は、早めに処分しなければならない。
【０００６】
また、従来の供物のように、酒や缶詰などの品物を直接置いた場合、重量が大きくなり、置く場所や順序などの段取りが大変になるため、喪家や葬儀社での負担が増えることになる。
【０００７】
そこで、本発明は、盛り籠の御供物を通夜又は葬儀当日に実際の品物で用意するのではなく、後程、喪家や返礼品を贈られる方に対して希望の商品を配送するようにすることで、喪家や返礼品を贈られる方又は葬儀社の負担を軽減することを目的とするものである。
【０００８】
【課題を解決するための手段】
本発明は、上記の課題を解決するために、通夜又は葬儀当日に盛り籠の御供物として実際の品物を置く代わりに御供物目録を喪家に手渡し、後程、喪家又は御供物目録を贈られた方が御供物目録の中に入っている商品カタログから商品を自由に選択できるようにして、商品申込みハガキにより申し込んだら、商品販売業者又は葬儀社が商品を送り先に配送することを特徴とする盛り籠用商品配送システムの構成とした。
【０００９】
【実施例】
以下に、添付図面に基づいて、本発明である盛り籠用商品配送システムについて詳細に説明する。
【００１０】
図１は、本発明である盛り籠用商品配送システムの盛り籠の正面図である。盛り籠１は、籠受け台２、造花３、パネル付き籠４、名札５、飾り６からなり、従来の御供物に代えてパネル付き籠４が設置されている。
【００１１】
籠受け台２は造花３、パネル付き籠４、名札５、飾り６を支える土台の部分であり、造花３、パネル付き籠４、名札５、飾り６を置くための大きさと、物を置いても潰れたりしないだけの強度と、多少の風では倒れたりしない程度のバランスがあれば十分である。
【００１２】
籠受け台２の上にパネル付き籠４を置き、周りを造花３で飾る。籠受け台２の上部には名札５を設置し、盛り籠１を依頼した贈り主の名前を書く。その他に飾り６を付けるなどして全体の見た目を良くする。
【００１３】
従来のように酒や缶詰などの品物を置かなくてよいので、葬儀社は予め籠受け台２、造花３、パネル付き籠４、名札５、飾り６を用意しておけば、葬儀が急に行われることになっても、盛り籠１をすぐに準備することが可能である。
【００１４】
御供物に実際の品物を用いないことで、喪家は必要のない品物を受け取らずに済む。盛り籠１が大量に届いてしまった場合でも、必要以上の品物を処分しなければならないということも無くなる。また、葬儀が斎場などの式場で行われた場合に品物を自宅等に持ち帰るという手間も省くことができる。
【００１５】
実際の品物からパネル付き籠４に代えたことで、葬儀社は通夜及び葬儀当日には実際の品物を置かず、喪家に御供物目録を手渡しておく。後程、御供物目録を実際の品物に代えることで、喪家は実際の品物を受け取ることができる。
【００１６】
盛り籠１は大きく立派なものにしてもよいが、パネル付き籠４に代えたことで、小型、軽量化を図ることができ、置くスペースが無いなど喪家の事情に即したものを手配することも可能になる。
【００１７】
図２は、本発明である盛り籠用商品配送システムのパネル付き籠の正面図である。パネル付き籠４は、パネル７、留め金８、籠９からなる。盛り籠に実際の品物の代わりに置くものである。
【００１８】
籠９は、一般的に使用される籠と同等のもので、プラスチックなどの材料で出来ており、主に縁が円状で内部をへこませて物を入れることができるようになっている。
【００１９】
籠９の開口部の形状に合わせてパネル７を作成し、貼り付ける。籠９の上部には盛り籠に取り付けるための留め金８を取り付ける。籠９の中には特に何も入れない。
【００２０】
パネル７には厚手の紙などを使用し、表面には花や模様などを描く。その他に本システムの名称や簡単な説明なども表示して、盛り籠を見た人が判るようにしておく。
【００２１】
留め金８は金属等の材質で出来ていて、中心付近に穴が空いている。盛り籠に釘などの突起を設けて、留め金８において引っ掛けることにより、籠９を盛り籠に固定する。
【００２２】
パネル付き籠４は、葬儀ごとにデザイン等を変える必要はなく、毎回同様のものを使用できるので、同じ物をある程度準備しておけばよく、管理するのが容易になる。
【００２３】
図３は、本発明である盛り籠用商品配送システムのパネル付き籠の側面図である。パネル付き籠４を左側から見た図である。
【００２４】
物品を収納できるような構造である籠９で、開口部にはパネル７が取り付けられていて、パネル７が取り付けられている側が表の部分で、反対側が裏の部分である。籠９の裏の部分及び側面部分は、格子状や網状に形成されている。
【００２５】
側面部分は、縁の部分と底の部分の端同士を繋いでおり、周りを巻くようになっている。内部は空いた状態になっているので、籠９の中に物を入れることが可能である。
【００２６】
籠９の中には、実際に品物を入れることもできるが、御供物目録１１をいれるために御供物は何も入れず、パネル７で蓋をするように塞ぐ。留め金８は縁の部分に取れないように固定する。
【００２７】
従来の缶詰め、瓶詰、お酒等の御供物とは違って籠のみであるため軽量になり、容易に持ち運びができるようになる。また酒の瓶などを落として割ってしまうようなこともなくなり、扱いが大変楽になる。
【００２８】
図４は、本発明である盛り籠用商品配送システムの花環の正面図である。花環１ａは、花留め基材２ａ、造花３ａ、パネル付き籠４ａ、名札５ａ、飾り６ａからなる。
【００２９】
御供物には盛り籠１を届ける場合もあるが、花環１ａを届ける場合もある。花環１ａにパネル付き籠４ａを設置することで、盛り籠１の場合と同様のシステムを提供することができる。
【００３０】
花留め基材２ａは造花３ａ、パネル付き籠４ａ、名札５ａ、飾り６ａを留める部分である。花留め基材２ａには円形の木の板などを用いる。中心にパネル付き籠４ａを固定し、中心付近から外周に向けて円状に造花３ａを取り付ける。部分的に造花３ａの色や種類を変えるとバリエーションに富んだものとなる。
【００３１】
名札５ａには盛り籠の場合と同様に依頼した贈り主の名前を書き、花留め基材２ａの上部に設置する。それ以外に、花環１ａに対しては飾り６ａによる飾り付けなども行う。
【００３２】
支え１０は、花留め基材２ａを支える部分で、木の棒などを三脚のように取り付ける。花環１ａが崩れない程度の強度と、風などで倒れたりしないようなバランスが必要である。
【００３３】
花環１ａの場合、花留め基材２ａが大きいため、重量が重くなると支え１０で支えるのが難しくなってくる。パネル付き籠４ａに代えたことで、御供物目録にサイズが大きい商品や重量がある商品も用意することが可能となる。
【００３４】
図５は、本発明である盛り籠用商品配送システムの御供物目録の表面図及び裏面図である。従来は実際の品物を盛り籠に置いていたが、代わりにパネル付き籠４を盛り籠１に置き、御供物目録１１を喪家に手渡す。
【００３５】
御供物目録１１は、紙の封筒状になっており、中に物を入れることができる。表面１１ａには、喪家から返礼品として贈られる場合もあるので、表書きに志、贈り主として施主と書かれる。
【００３６】
葬儀社が御供物目録１１を喪家に手渡す際は、御供物であることから、表書きに御供物、出す側の名称として子供一同、兄弟一同、親戚一同などと書いたのしを付けておく。
【００３７】
御供物目録１１は裏面１１ｂから開くことができるようになっており、中には商品カタログ１２と商品申込みハガキ１３などを入れる。御供物目録１１には、商品カタログ１２及び商品申込みハガキ１３の量に応じた厚さと大きさが必要である。
【００３８】
従来の御供物と比べると、形は小さいし、厚さも薄く、軽量である。大量に貰ったとしてもそれ程場所を取ることもないので、喪家や葬儀社にとって大変扱いが楽になる。
【００３９】
葬儀社は、御供物目録１１を葬儀前から予め用意しておけばよく、酒や缶詰を急に用意したり、大量にストックしておく必要もなくなるので、商品を管理する手間が省ける。
【００４０】
喪家が式場で実際の品物を受け取ると、必要以上に大量に受け取ってしまった場合、移動させるのに手間が掛かったり、不要なものを処分したりしなくてはならないので、御供物目録１１になったことで、喪家における負担はかなり軽減される。
【００４１】
図６は、本発明である盛り籠用商品配送システムの商品カタログの表面図である。複数の商品が用意されていて、喪家または御供物目録を贈られた方が好きな商品を選ぶことができる。
【００４２】
商品カタログ１２は複数のカタログ１２ａからなり、１つのカタログ１２ａには商品名、申込番号の他に商品の写真や商品についての説明も表示されており、喪家または御供物目録を贈られた方が内容を確認することができるようになっている。
【００４３】
従来の御供物では、同じものが重なったり、あまり必要のないものだったり、貰う側が望むものと一致していない場合もあった。商品カタログ１２から選択する形式であれば、希望の商品のみを受け取ることができる。
【００４４】
御供物目録を贈る側にとっても、貰う側に商品の選択を任せることで、商品が貰う側の希望に沿っていないかどうかと心配したりする必要もなくなり、気軽に贈ることができる。
【００４５】
選択できる商品の数は１つだけでなく商品の値段を考慮して複数選択できるようにする。葬儀社は商品の内容、選択できる商品の数などが異なるものをいくつか用意しておき、盛り籠を注文する側に選んでもらう。
【００４６】
葬儀社においては、各商品の価値にばらつきが出ない程度で、商品のバリエーションを豊富に用意することができ、値段に応じて商品の量を調節することも可能となる。
【００４７】
図７は、本発明である盛り籠用商品配送システムの商品申込みハガキの表面図及び裏面図である。喪家または御供物目録を贈られた方は、商品申込みハガキ１３により申込みを行う。
【００４８】
商品申込みハガキ１３の表面左側１３ａの裏側は裏面右側１３ｃであり、表面右側１３ｂの裏側は裏面左側１３ｄであり、表面左側１３ａ、表面右側１３ｂ、裏面右側１３ｃ、裏面左側１３ｄはそれぞれハガキの大きさである。申し込む際は左右切り離して表面左側１３ａ及び裏面右側１３ｃの部分を郵送する。
【００４９】
表面左側１３ａはハガキの表面になっていて、商品販売業者又は葬儀社の宛先が申込先として予め印刷されている。喪家または御供物目録を贈られた方では特に記入する必要はない。
【００５０】
表面右側１３ｂには、本システムの案内として商品申込み手順と注意事項などが記されている。喪家または御供物目録を贈られた方に本システムを理解してもらい、手順通り利用してもらうための説明である。
【００５１】
裏面右側１３ｃは、喪家または御供物目録を贈られた方に申込み内容について記入してもらう欄である。受付番号については管理用として葬儀社の側で予め記入しておく。
【００５２】
希望商品の欄には、喪家または御供物目録を贈られた方が選択した商品の申込番号と商品名を記入する。申込番号のみであると記入誤りや記入された字が読みにくい場合などもあるので、商品名も記入してもらう。
【００５３】
商品カタログから複数商品を選択できる場合は、希望商品の欄も複数用意されるので、選択可能な分だけ申込番号及び商品名を記入する。同じ商品を複数選択した場合は、同じ商品が選択した分だけ届けられる。
【００５４】
届け先の欄には、申込みを行う人の氏名、住所、電話番号などを記入してもらう。また、御供物目録を贈られた方が申し込む場合には、喪家の名前も記入してもらう。
【００５５】
商品申込みハガキ１３はいつ申し込んでも良い訳ではなく、投函期限が設定されており、期限までに商品申込みハガキ１３を投函することによって申し込む必要がある。
【００５６】
商品は常に一定のものを用意している訳にはなく、メーカーの都合などにより別の商品に変わっていく可能性もある。申し込まれた商品が手配出来なくなった時は、別の商品が届けられる場合もある。
【００５７】
裏面左側１３ｄは、申し込む側が控えとして、商品が届くまでは保管しておく。事故等が起こって問い合わせをする際、申込内容の確認などに利用する場合もある。
【００５８】
商品が届かない場合や破損していた場合のために問い合わせ先に葬儀社又は商品販売業者の住所や電話番号を表示しておく。喪家または御供物目録を贈られた方が葬儀社に問い合わせを行う際、確認を取りやすいように受付番号も予め記入しておく。
【００５９】
喪家または御供物目録を贈られた方は、どの商品を申し込んだか確認できるように裏面右側１３ｃに記入した時と同様に希望商品の欄に申込番号及び商品名を記入しておく。
【００６０】
商品申込みは原則として商品申込みハガキ１３を使用して行うが、受付番号などで確認が取れれば官製ハガキやファックスによる申込みも投函期限内であれば受け付ける。
【００６１】
図８は、本発明である盛り籠用商品配送システムの商品申込み手順を示す図である。商品申込み手順１４は、盛り籠受取り１４ａ、御供物目録受取り１４ｂ、商品選択１４ｃ、商品申込み１４ｄ、商品配送１４ｅ、商品到着１４ｆの６つの手順からなる。
【００６２】
盛り籠受取り１４ａでは、親族や知人から依頼された葬儀社が盛り籠を手配し、喪家に届ける。盛り籠の御供物は酒や缶詰などの品物ではなく、商品カタログなどの入った御供物目録となっている。
【００６３】
御供物目録受取り１４ｂでは、盛り籠を手配した葬儀社から喪家に対して御供物目録が手渡される。喪家は会葬者やお世話になった方々に返礼品として御供物目録を贈る。
【００６４】
商品選択１４ｃでは、御供物目録を受け取った人が商品カタログより好きな商品を選択する。選択できる商品の数については、盛り籠を注文した時の内容によって異なる。
【００６５】
商品申込み１４ｄでは、御供物目録を受け取った人が商品カタログより選択した商品及び届け先等を商品申込みハガキに記入して投函する。商品申込みハガキは商品販売業者に郵送される。
【００６６】
商品配送１４ｅでは、商品申込みハガキに基づいて商品の配送を行う。商品申込みハガキが商品販売業者に届いた場合、商品販売業者が希望の商品を指定の届け先に配送する。商品申込みハガキが葬儀社に届いた場合、葬儀社が商品を手配して指定の届け先に配送する。
【００６７】
商品到着１４ｆでは、御供物目録を受け取った人が希望した商品が、商品申込みハガキにおいて指定した届け先に届けられる。商品の手配や配送日数の関係から約１週間程で到着する。
【００６８】
図９は、本発明である盛り籠用商品配送システムの葬儀社と商品販売業者とが異なる場合の流れを示す図である。葬儀社１６、喪家１７、会葬者等１８、商品販売業者１９、親戚２０、会社２０ａ、知人２０ｂからなり、親戚２０、会社２０ａ、知人２０ｂについては葬儀ごとに異なる。
【００６９】
喪家１７から葬儀を行うとの連絡を受けた親戚２０、会社２０ａ、知人２０ｂ等は、葬儀社１６に盛り籠１を喪家１７に届けるように依頼する。依頼の方法としては、直接出向いて申し込む他に、電話２１による申込み、ファックス２１ａによる申込み、個人用コンピュータ２１ｂからインターネットを介して電子メールによる申込みなどがある。
【００７０】
依頼する際、親戚２０、会社２０ａ、知人２０ｂ等は葬儀社１６に対してそれぞれ代金２２、代金２２ａ、代金２２ｂを支払う。急を要する場合もあるので、後日、直接出向いての支払い、銀行振込みによる支払い、インターネットであればクレジットカードによる支払いなどの方法により行う。
【００７１】
葬儀社１６は、喪家１７や盛り籠１を依頼した親戚２０、会社２０ａ、知人２０ｂ等の情報を管理用コンピュータ１６ａに登録することによって管理する。依頼を受けた際、受付番号を振って商品申込み時の確認などで検索ができるようにする。
【００７２】
盛り籠１は、通夜や葬儀に間に合うよう喪家１７に届けられる。喪家１７の自宅又は斎場などの式場へ運ぶが、通夜と葬儀を別の場所で行うという場合には、盛り籠１を移動させることになる。盛り籠１は御供物に代わってパネル付き籠になり軽量化しているので、移動時の負担は軽減される。通夜から葬儀まで日数が空く場合であっても御供物が傷むという心配もない。
【００７３】
盛り籠１が届けられると、喪家１７には御供物目録２４が手渡される。盛り籠１は通夜や葬儀の間は式場に配置されるが、葬儀後不用になった時は葬儀社１６に引き取ってもらうことができる。喪家１７は、従来のように実際の品物を持ち帰る必要はなく、御供物目録２４のみを持ち帰ればよい。
【００７４】
盛り籠１が届けられた際に受け取った御供物目録２４は、喪家１７自身が貰ったり親族の間で分配してもよいが、香典２３を頂いたお返しとして、又は葬儀においてお世話になった方々への返礼として、会葬者等１８に御供物目録２４を贈ったりする。
【００７５】
喪家１７又は御供物目録２４を贈られた会葬者等１８は、御供物目録２４の中の商品カタログから好きな商品を選んで、商品申込みハガキを郵送することにより申込み２５を行う。
【００７６】
商品販売業者１９に商品申込みハガキが届くと、商品販売業者１９は指定された商品を準備して商品発送２６を行う。商品発送２６は運送会社に依頼するなどの方法で行われ、数日後、指定された送り先に希望の商品が届けられる。
【００７７】
商品販売業者１９は、商品申込みハガキが届いた時、又は商品発送２６を行った後に、商品の代金を葬儀社１６に請求するため、喪家１７又は御供物目録２４を贈られた会葬者等１８は代金を負担する必要はない。葬儀社１６は、商品の代金を親戚２０、会社２０ａ、知人２０ｂから受け取った代金２２、２２ａ、２２ｂから支払う。
【００７８】
図１０は、本発明である盛り籠用商品配送システムの葬儀社が商品販売業者を兼ねる場合の流れを示す図である。葬儀社１６が商品の申込み２５ａを受け付けて商品発送２６ａをするところまで行う。喪家１７又は御供物目録２４を贈られた会葬者等１８が申込み２５ａを行う前までは、図９と同様である。
【００７９】
親戚２０、会社２０ａ、知人２０ｂ等がそれぞれ電話２１、ファックス２１ａ、電子メール２１ｂなどを利用して盛り籠１を喪家１７に届けるように葬儀社１６に依頼し、代金２２、２２ａ、２２ｂを支払う。葬儀社１６は盛り籠１を喪家１７に届け、御供物目録２４を手渡す。喪家１７は、香典２３などの返礼として会葬者等１８に御供物目録２４を贈る。
【００８０】
喪家１７又は御供物目録２４を贈られた会葬者等１８が申込み２５ａを行う際、商品販売業者ではなく、葬儀社１６に対して行う。葬儀社１６は指定された商品を準備して商品発送２６ａを行う。
【００８１】
葬儀社１６は、商品を常にストックしておく必要はなく、申込み２５ａを受けた時に、親戚２０、会社２０ａ、知人２０ｂから受け取った代金２２、２２ａ、２２ｂを元に商品販売業者などから商品を仕入れて商品発送２６ａを行えばよい。
【００８２】
商品の申込み２５ａは、基本的に商品申込みハガキにより行うが、ファックスによる受付やインターネットのホームページによる受付も可能とする。管理用コンピュータ１６ａに登録された情報と照合して申込み２５ａの確認なども可能となる。
【００８３】
図１１は、本発明である盛り籠用商品配送システムのインターネットサービスを利用した場合の流れを示す図である。本システムをインターネット上に公開し、葬儀社１６と顧客２９、２９ａ、２９ｂとの間のやり取りをインターネットを介して行う。
【００８４】
葬儀社１６は管理コンピュータ１６ａにおいて本システムに関してホームページを作成し、インターネットサービスを契約しているプロバイダのウェブサーバ２７にアップロードすることで、ホームページによる案内２８がインターネット上にウェブサイトとして公開される。
【００８５】
顧客２９、２９ａ、２９ｂはそれぞれ個人用コンピュータ３０、３０ａ、３０ｂの画面からインターネットを通じて案内２８を見る。案内２８を見て利用を希望している顧客２９、２９ａ、２９ｂから利用の申込み３１、３１ａ、３１ｂがあった場合、管理用コンピュータ１５においてインターネットによる受付３３を行う。
【００８６】
顧客２９、２９ａ、２９ｂには画面から住所、氏名、盛り籠１を届ける喪家１７に関する事項などを記入して情報を送信してもらう。葬儀社１６では、顧客２９、２９ａ、２９ｂ及び喪家１７の情報を管理用コンピュータ１６ａに登録しておく。
【００８７】
利用の申込み３１、３１ａ、３１ｂに対して受付３３を行ったら、代金支払方法などを記した電子メールを返信することにより顧客２９、２９ａ、２９ｂに対してそれぞれ代金請求３２、３２ａ、３２ｂを行う。銀行振込、現金書留などの他に申込画面においてクレジットカードによる支払いを選択してもらう方法もある。
【００８８】
受付３３が完了したら、顧客２９、２９ａ、２９ｂの依頼に基づいて喪家１７に対してサービスを提供する。葬儀社１６は喪家１７に盛り籠１を届け、御供物目録２４を手渡す。喪家１７又は御供物目録２４を贈られた会葬者等１８は、商品の申込み２５ａを行い、商品発送２６ａしてもらう。
【００８９】
商品の申込み２５ａはインターネットのホームページからも受け付ける。ホームページの画面には商品の一覧を表示する。商品カタログ同様に商品の写真や商品の説明も掲載し、喪家１７又は御供物目録２４を贈られた会葬者等１８が内容を確認できるようにする。
【００９０】
喪家１７又は御供物目録２４を贈られた会葬者等１８が商品を選択したら、選択した商品、商品の送り先などの情報は電子メールにより管理用コンピュータ１６ａに送信される。
【００９１】
申込み２５ａの際、受付番号によりサービスを受けた喪家１７からのものであることの確認も行い、確認が取れた場合のみ、葬儀社１６から商品発送２６ａを行う。商品販売業者からの商品発送２６ａになる場合は、葬儀社１６が商品販売業者に対して手配を行う。
【００９２】
本システムを利用した顧客２９、２９ａ、２９ｂからの質問や要望なども電子メールで受付３３を行う。質問に対しては電子メールで顧客２９、２９ａ、２９ｂに返答し、要望などは取り入れることでサービスの質の向上に努めることもできる。
【００９３】
図１２は、従来の盛り籠の正面図である。盛り籠３４は、籠３５、造花３６、御供物３７からなり、籠３５に酒や缶詰などを御供物３７として置き、周りを大量の造花３６で飾る。
【００９４】
葬儀社又は造花店は盛り籠の注文を受けた際に、御供物３７として実際の品物をすぐに準備できるように、ある程度ストックしておく必要もあり、在庫管理に注意しなければならない。
【００９５】
籠３５は、御供物３７が実際の品物であるため重量も重くなってしまい、持ち運ぶのに不便である。また、従来の御供物３７には酒や食品などが使用されていたため、瓶が割れてしまったり、食品が腐ったりしてしまう可能性もあり、管理の面においても注意する必要がある。
【００９６】
葬儀後、御供物３７は喪家に渡され、盛り籠は葬儀社に引き取ってもらうことができる。御供物３７が大量にある場合、実際の品物であると他に配ったり処分するのに手間が掛かってしまう。
【００９７】
【発明の効果】
本発明は、以上に説明したような構成であるから以下の効果が得られる。第１に、盛り籠の御供物を実際の品物ではなく目録にすることで、通夜及び葬儀当日に急に商品を用意する必要はなく、サイズや重量も調節することができるので、喪家や葬儀社の負担が軽減される。
【００９８】
第２に、好きな商品を商品カタログから選んで配送してもらえるようにしたことで、喪家が必要以上に商品を受け取ってしまったり、不要な商品の処分に困ったりすることがなくなり、また、商品を直接希望の届け先に届けてもらうことができるようになる。
【００９９】
第３に、御供物目録をお世話なった方々や会葬者への返礼品として贈ることも可能なので、改めて商品を手配する手間も省くことができ、商品も贈った方に選択してもらうことができる。
【０１００】
第４に、インターネットを利用して本発明である盛り籠用商品配送システムを紹介することで、事前にシステムの内容を顧客に理解してもらうことができ、電子メールによる申込みや商品の選択を受け付けることも可能になる。
【図面の簡単な説明】
【図１】本発明である盛り籠用商品配送システムの盛り籠の正面図である。
【図２】本発明である盛り籠用商品配送システムのパネル付き籠の正面図である。
【図３】本発明である盛り籠用商品配送システムのパネル付き籠の側面図である
【図４】本発明である盛り籠用商品配送システムの花環の正面図である。
【図５】本発明である盛り籠用商品配送システムの御供物目録の表面図及び裏面図である。
【図６】本発明である盛り籠用商品配送システムの商品カタログの表面図である。
【図７】本発明である盛り籠用商品配送システムの商品申込みハガキの表面図及び裏面図である。
【図８】本発明である盛り籠用商品配送システムの商品申込み手順を示す図である。
【図９】本発明である盛り籠用商品配送システムの葬儀社と商品販売業者とが異なる場合の流れを示す図である。
【図１０】本発明である盛り籠用商品配送システムの葬儀社が商品販売業者を兼ねる場合の流れを示す図である。
【図１１】本発明である盛り籠用商品配送システムのインターネットサービスを利用した場合の流れを示す図である。
【図１２】従来の盛り籠の正面図である。
【符号の説明】
１        盛り籠
１ａ      花環
２        籠受け台
２ａ      花留め基材
３        造花
３ａ      造花
４        パネル付き籠
４ａ      パネル付き籠
５        名札
５ａ      名札
６        飾り
６ａ      飾り
７        パネル
８        留め金
９        籠
１０      支え
１１      御供物目録
１１ａ    表面
１１ｂ    裏面
１２      商品カタログ
１２ａ    カタログ
１３      商品申込みハガキ
１３ａ    表面左側
１３ｂ    表面右側
１３ｃ    裏面右側
１３ｄ    裏面左側
１４      商品申込み手順
１４ａ    盛り籠受取り
１４ｂ    御供物目録受取り
１４ｃ    商品選択
１４ｄ    商品申込み
１４ｅ    商品配送
１４ｆ    商品到着
１５      盛り籠用商品配送システム
１５ａ    盛り籠用商品配送システム
１５ｂ    盛り籠用商品配送システム
１６      葬儀社
１６ａ    管理用コンピュータ
１７      喪家
１８      会葬者等
１９      商品販売業者
２０      親戚
２０ａ    会社
２０ｂ    知人
２１      電話
２１ａ    ファックス
２１ｂ    個人用コンピュータ
２２      代金
２２ａ    代金
２２ｂ    代金
２３      香典
２４      御供物目録
２５      申込み
２５ａ    申込み
２６      商品発送
２６ａ    商品発送
２７      ウェブサーバ
２８      案内
２９      顧客
２９ａ    顧客
２９ｂ    顧客
３０      個人用コンピュータ
３０ａ    個人用コンピュータ
３０ｂ    個人用コンピュータ
３１      申込み
３１ａ    申込み
３１ｂ    申込み
３２      請求
３２ａ    請求
３２ｂ    請求
３３      受付
３４      盛り籠
３５      籠
３６      造花
３７      御供物
【図１】
2005031741.tif 000003
【図２】
2005031741.tif 000004
【図３】
2005031741.tif 000005
【図４】
2005031741.tif 000006
【図５】
2005031741.tif 000007
【図６】
2005031741.tif 000008
【図７】
2005031741.tif 000009
【図８】
2005031741.tif 000010
【図９】
2005031741.tif 000011
【図１０】
2005031741.tif 000012
【図１１】
2005031741.tif 000013
【図１２】
2005031741.tif 000014